(57)【要約】【課題】被介護者用寝間着であって、可能な限り加工を少なくして被介護者の尊厳を壊さない程度に見栄えを良くすることを目的とする。【解決手段】前開きに構成された身頃部と、右袖部及び左袖部から構成された袖部とを備えた被介護者用寝間着であって、前記右袖部には、右袖下の一部を開放して形成された右袖開放部が設けられ、前記身頃部の右脇部には、前記右袖開放部と連結され、一部を開放して形成された右脇開放部が設けられ、前記左袖部には、左袖下の一部を開放して形成された左袖開放部が設けられ、前記身頃部の左脇部には、前記左袖開放部と連結され、一部を開放して形成された左脇開放部が設けられ、前記被介護者の左右の腕の少なくともいずれか一方が不自由であることに応じて、少なくとも、前記右袖開放部の寸法と、前記左袖開放部の寸法とが、異ならせて形成されていることを特徴とする。【選択図】図１
2019131926.tif 000002
【特許請求の範囲】
【請求項１】
前身頃及び後ろ身頃を有し前開きに構成された身頃部と、右袖部及び左袖部から構成された袖部とを備えた被介護者用寝間着であって、
前記右袖部には、右袖下の一部を開放して形成された右袖開放部が設けられ、
前記身頃部の右脇部には、前記右袖開放部と連結され、一部を開放して形成された右脇開放部が設けられ、
前記左袖部には、左袖下の一部を開放して形成された左袖開放部が設けられ、
前記身頃部の左脇部には、前記左袖開放部と連結され、一部を開放して形成された左脇開放部が設けられ、
前記被介護者の左右の腕の少なくともいずれか一方が不自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されている
ことを特徴とする被介護者用寝間着。
【請求項２】
前身頃及び後ろ身頃を有し前開きに構成された身頃部と、右袖部及び左袖部から構成された袖部とを備えた被介護者用寝間着であって、
前記右袖部には、右袖下の一部を開放して形成された右袖開放部が設けられ、
前記身頃部の右脇部には、前記右袖開放部と連結され、一部を開放して形成された右脇開放部が設けられ、
前記左袖部には、左袖下の一部を開放して形成された左袖開放部が設けられ、
前記身頃部の左脇部には、前記左袖開放部と連結され、一部を開放して形成された左脇開放部が設けられ、
前記被介護者の左右の腕のいずれか一方が不自由であり、いずれか他方が自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されている
ことを特徴とする被介護者用寝間着。
【請求項３】
前身頃及び後ろ身頃を有し前開きに構成された身頃部と、右袖部及び左袖部から構成された袖部とを備えた被介護者用寝間着であって、
前記右袖部には、右袖下の一部を開放して形成された右袖開放部が設けられ、
前記身頃部の右脇部には、前記右袖開放部と連結され、一部を開放して形成された右脇開放部が設けられ、
前記左袖部には、左袖下の一部を開放して形成された左袖開放部が設けられ、
前記身頃部の左脇部には、前記左袖開放部と連結され、一部を開放して形成された左脇開放部が設けられ、
前記被介護者の左右の腕のいずれも不自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されている
ことを特徴とする被介護者用寝間着。
【請求項４】
前記右袖部と前記左袖部は、いずれか一方が、前記被介護者の不自由な方の腕に対応して形成され、いずれか他方が、前記被介護者の自由な方の腕に対応して形成されており、
前記右袖開放部の寸法と、前記左袖開放部の寸法のうち、前記被介護者の自由な方の腕に対応する側の寸法が、前記被介護者の不自由な方の腕に対応する側の寸法よりも長く形成されている
ことを特徴とする請求項１又は請求項２に記載の被介護者用寝間着。
【請求項５】
前記右袖部と前記左袖部は、いずれか一方が、前記被介護者の一方の不自由な方の腕に対応して形成され、いずれか他方が、前記被介護者の他方の不自由な方の腕に対応して形成されており、
前記右袖開放部の寸法と、前記左袖開放部の寸法のうち、いずれか一方が、いずれか他方よりも長く形成されている
ことを特徴とする請求項３に記載の被介護者用寝間着。
【請求項６】
前記右袖開放部の寸法と前記左袖開放部の寸法のうち、いずれか一方が、前記被介護者の不自由な腕に対応する側の寸法であって、前記被介護者の不自由な腕を通すときに少なくとも前記被介護者に負担が掛からない最も短い長さである
ことを特徴とする請求項１乃至請求項５のいずれか１項に記載の被介護者用寝間着。
【請求項７】
前記右袖開放部の寸法と前記左袖開放部の寸法のうち、いずれか一方が、前記被介護者の自由な腕に対応する側の寸法であって、前記被介護者の自由な腕を通すときに少なくとも前記被介護者の負担が掛からない最も短い長さである
ことを特徴とする請求項１、２、４、６のいずれか１項に記載の要介護者用寝間着。
【請求項８】
前記右袖開放部及び前記左袖開放部を閉じるための留め具が設けられており、
前記留め具は、綿素材の綾テープで形成されており、
前記留め具の数は、前記被介護者の腕が、挿通された袖部から不用意に抜けないための最少の数に設けられている
ことを特徴とする請求項１乃至請求項７のいずれか１項に記載の被介護者用寝間着。
【発明の詳細な説明】
【技術分野】
【０００１】
この発明は、被介護者用寝間着に関し、特に、少なくとも一方の腕が不自由により脱ぎ着が自力で困難な被介護者のための寝間着に関するものである。
【背景技術】
【０００２】
従来から、寝たきり、高齢、病気、怪我等で上肢（手・腕）を自力で動かすことができない被介護者のための寝間着を含む被介護者用衣服として、様々の発明が提案されており、以下、従来のいくつかの被介護者用衣服について説明する。まず、特許文献１には、「可能な限り衣服としての形態を保ちながらも着脱動作が容易であって、見栄えのする着用状態が容易に得られるとともに、要介護者にとっても、精神的に卑屈にならずに済むような、要介護者用寝間着の提供を主たる課題」（段落「００１０」参照。）として、「身体の部分を通させて該部分を被覆する筒状部を有し、該筒状部を展開可能にすべく開閉する開閉部を筒状部の長さ方向に沿って形成した要介護者用寝間着であって、前記筒状部として、２本の袖部と身頃部とを有し、上記各袖部のうちの、一方の袖部の上側と、他方の袖部の下側に、前記開閉部を形成するとともに、上記身頃部における上記他方の袖部がわの側部に、前記開閉部を形成し、少なくとも上記一方の袖部における襟側の端部に、前記閉ループ部を設け、前記各開閉部の合わせ部の対向面に、帯状のテープを固定するとともに、該テープの上に、開閉のために相互に係脱する複数の面ファスナを離間配置し、前記身頃部の前面側である前身頃の上部に設けられた被覆部の下側に、前掛け部材に設けられた面ファスナの一方を係脱する面ファスナの他方を固定し、前記前身頃部における腹部対応部位又はその近傍に、前記前掛け部材を収納可能とするポケットを形成した要介護者用寝間着」（「請求項１」参照。）が記載されている。
【０００３】
また、特許文献２には、「五十肩や腕や肩に障害のある人や、年老いて腕を上げるのが困難な人にとって、袖に腕を通す事や袖から腕を抜く事は、袖の脇の縫合部位に肘がつかえて困難であり、時には肩や腕に痛みを伴い苦痛なこと」（段落「０００２」参照。）であり、「その困難や苦痛を解消して、袖に腕を通す事や袖から腕を抜き取る事を容易にする為に発明されたもの」（段落「０００３」参照。）として、「（イ）衣服の袖の内側肘部から脇の下を通り胴の側部にかけてスリットを入れる。（ロ）スリットにファスナーを取り付ける。（ハ）衣服を着用する時に、ファスナーを開けて袖に腕を通す。（ニ）袖に腕を通した後にファスナーを閉じる。（ホ）衣服を脱ぐ時はファスナーを開けて、袖から腕を抜く。以上の如く構成された、袖に腕を通す事や袖から腕を抜き取る事が容易な衣服」（「請求項１」参照。）が記載されている。
【０００４】
また、特許文献３には、「身体障害者やリハビリ患者等が着用した際に、不自由な手と健常な手のそれぞれを通して動かせるのに適した袖部を備えることによって、脱ぎ着が容易で機能的な衣服を提供することを目的」（段落「０００６」参照。）として、「開閉部のない前身頃及び後身頃と袖部とを備えた衣服において、左右いずれか一方の袖部の袖巾が他方の袖部の袖巾より２０％以上大きく形成したことを特徴とする衣服」（「請求項１」参照。）が記載されている。
【先行技術文献】
【特許文献】
【０００５】
【特許文献１】特許第４４３９３６７号公報
【特許文献２】特開２００４−２５６９７７号公報
【特許文献３】特開２０００−２６５３０４号公報
【発明の概要】
【発明が解決しようとする課題】
【０００６】
特許文献１には、「左右のうちの一方（図面右側）の袖部１２の上側には、袖口から肩部対応部位まで開閉自在な第１開閉部１６を形成し、襟部側の端部に、開閉しないで閉ループ状を保つ閉ループ部１７を形成している」（段落「００２２」、図１参照。）、「他方（図面左側）の袖部１３の下側に、その長さ方向の全体にわたる第２開閉部１８を形成するとともに、これに連なる身頃部１４における側部に、第３開閉部１９を形成している」（段落「００２３」、図１参照。）、「これら開閉部１５，１６，１８，１９はいずれも、図２に示したように、相互に重合する合わせ部を設け、これら合わせ部の対向面に、相互に係合する一組の面ファスナ２０（２０ａ及び２０ｂ）を設けて構成している。面ファスナ２０は、細幅帯状のテープ２１上に離間配置し、全体ではなく部分的に閉じられるようにして、係脱の容易化を図っている」（段落「００２４」、「００２５」、図２参照。）と記載されている。特許文献１には、「面ファスナ２０（２０ａ及び２０ｂ）」の素材については記載されていないが、一般的に、衣服に用いる面ファスナは、合成樹脂で形成されていることが多く、合成樹脂は、金属ほど硬くはないが、例えば、高齢の被介護者や、長期の寝たきりの被介護者等は、健常者に比べて肌（皮膚）が弱くなっており、合成樹脂製の面ファスナが接触することで肌を傷つける虞がある。
【０００７】
また、特許文献１に記載の発明では、「開閉部１５，１６，１８，１９」を開閉するために、多数の「相互に係合する一組の面ファスナ２０（２０ａ及び２０ｂ）」を一つ一つ係止させるという煩雑な係止作業を必要とし、特に、被介護者がベッドに寝た状態では、被介護者を着替えさせるためには、被介護者の体を抱き起こしたり移動させたりしなければならないので、上記の煩雑な係止作業を行うことは、介護者にとっても被介護者にとっても、大きな労力を要するものと思われる。また、一つ一つの「面ファスナ２０（２０ａ及び２０ｂ）」が、ズレることなくきちんと係止されていないと、外観視において見栄えが悪くなってしまうので、見栄え良くするためにより慎重な係止作業を要し、また、係止作業のやり直しも増える虞がある。被介護者を介護する家族にとっても、被介護者が寝たきり状態であったとしても、被介護者の尊厳をできるだけ損なうことがないように、健常者要の衣服とできるだけ遜色ない見栄えの良い衣服を着用させたいと願うものである。
【０００８】
特許文献２には、「（ロ）スリットは、長袖衣服の場合の腕部は脇の下から肘部まで、半袖衣服の場合は脇の下から袖縁の数ｃｍ内側までで、胴の側部は脇の下から真下に向かい、腕を脇に付けた時の肘が当たる位置までの長さにする」（段落「０００４」、図１〜図３参照。）と記載されており、特許文献１の「要介護者用寝間着」に比べて、加工の程度は軽減されているものの、「（ハ）スリットにファスナーを取り付ける」（段落「０００４」、図１〜図３参照。）と記載されており、特許文献２に記載の「衣服」では、特許文献１と同様に、「ファスナー」が接触することで、被介護者である「五十肩や腕や肩に障害のある人や、年老いて腕を上げるのが困難な人」の肌を傷つける虞がある。また、特許文献２に記載された「スリット」は、不自由な一方の腕に対応するものであり、他方の腕が自由・不自由な場合については何ら記載されていないものと認められる。
【０００９】
特許文献３には、「ニットウェアはその柔軟な素材の特性から、左右袖部３ａ、３ｂを伸ばして左右を比較して見ない限りは左右の袖部の袖巾が違っているとは外観されにくく」（段落「００１４」参照。）と記載されているので、特許文献３に記載の技術思想を非ニット素材の衣服、例えば、綿素材の衣服に適用すると、外観視において、「左右の袖部の袖巾が違っている」ことが容易に視認され、介護用に加工されているという印象が強く、見栄えが悪いものと思われる。
【００１０】
また、特許文献３に記載の「衣服」は、「左右いずれか一方の袖部の袖巾が他方の袖部の袖巾より２０％以上大きく形成されているので、袖巾が大きい方の袖部はアームホールも大きく」（段落「０００８」、図１参照。）形成されたものであり、「上半身部４は前身頃１に開閉部がなく」（段落「００１２」参照。）、「上下揃いのスウェットスーツの他、上半身部だけのトレーナ、Ｔシャツ、肌着、セーター等」（段落「００１５」参照。）のようなプルオーバー形態の衣服を想定しているので、例えば、介護者が、ベッドに寝たきりで自力で腕を動かすことができない被介護者を、プルオーバー形態の「衣服」で着替えさせることは、介護者にとっても被介護者にとっても、大変な労力を要し、負担が大きいものと思われる。
【００１１】
また、特に、被介護者が長期間寝たきり状態であるときは、介護者である家族も長期間の介護で心身ともに疲労が蓄積し、介護に対するモチベーションが維持できない虞がある。このような状況では、被介護者の衣服が、できるだけ健常者の衣服と遜色ない程度で見栄えの良いものであると、介護者の介護に対するモチベーション維持に効果を奏するものと考えられる。しかしながら、このような課題は、上記の特許文献１〜３を含み、他の従来技術においても見当たらない。
【００１２】
このため、本発明では、少なくとも一方の腕が不自由で自力での脱ぎ着が困難な被介護者のための寝間着であって、可能な限り加工を少なくして被介護者の尊厳を損なわない程度に見栄えを良くし、被介護者が寝間着の開閉具や留め具等で傷つくことなく、被介護者及び介護者にとって着替え作業の負担を軽減することができ、介護者の被介護者に対する介護のモチベーションを維持することができる被介護者用寝間着を提供することを目的とする。
【課題を解決するための手段】
【００１３】
上記の目的を達成するために、請求項１に記載の発明は、前身頃及び後ろ身頃を有し前開きに構成された身頃部と、右袖部及び左袖部から構成された袖部とを備えた被介護者用寝間着であって、前記右袖部には、右袖下の一部を開放して形成された右袖開放部が設けられ、前記身頃部の右脇部には、前記右袖開放部と連結され、一部を開放して形成された右脇開放部が設けられ、前記左袖部には、左袖下の一部を開放して形成された左袖開放部が設けられ、前記身頃部の左脇部には、前記左袖開放部と連結され、一部を開放して形成された左脇開放部が設けられ、前記被介護者の左右の腕の少なくともいずれか一方が不自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されていることを特徴とする。
【００１４】
また、請求項２に記載の発明は、前身頃及び後ろ身頃を有し前開きに構成された身頃部と、右袖部及び左袖部から構成された袖部とを備えた被介護者用寝間着であって、前記右袖部には、右袖下の一部を開放して形成された右袖開放部が設けられ、前記身頃部の右脇部には、前記右袖開放部と連結され、一部を開放して形成された右脇開放部が設けられ、前記左袖部には、左袖下の一部を開放して形成された左袖開放部が設けられ、前記身頃部の左脇部には、前記左袖開放部と連結され、一部を開放して形成された左脇開放部が設けられ、前記被介護者の左右の腕のいずれか一方が不自由であり、いずれか他方が自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されていることを特徴とする。
【００１５】
また、請求項３に記載の発明は、前身頃及び後ろ身頃を有し前開きに構成された身頃部と、右袖部及び左袖部から構成された袖部とを備えた被介護者用寝間着であって、前記右袖部には、右袖下の一部を開放して形成された右袖開放部が設けられ、前記身頃部の右脇部には、前記右袖開放部と連結され、一部を開放して形成された右脇開放部が設けられ、前記左袖部には、左袖下の一部を開放して形成された左袖開放部が設けられ、前記身頃部の左脇部には、前記左袖開放部と連結され、一部を開放して形成された左脇開放部が設けられ、前記被介護者の左右の腕のいずれも不自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されていることを特徴とする。
【００１６】
また、請求項４に記載の発明は、請求項１又は請求項２に記載の被介護者用寝間着であって、前記右袖部と前記左袖部は、いずれか一方が、前記被介護者の不自由な方の腕に対応して形成され、いずれか他方が、前記被介護者の自由な方の腕に対応して形成されており、前記右袖開放部の寸法と、前記左袖開放部の寸法のうち、前記被介護者の自由な方の腕に対応する側の寸法が、前記被介護者の不自由な方の腕に対応する側の寸法よりも長く形成されていることを特徴とする。
【００１７】
また、請求項５に記載の発明は、請求項３に記載の被介護者用寝間着であって、前記右袖部と前記左袖部は、いずれか一方が、前記被介護者の一方の不自由な方の腕に対応して形成され、いずれか他方が、前記被介護者の他方の不自由な方の腕に対応して形成されており、前記右袖開放部の寸法と、前記左袖開放部の寸法のうち、いずれか一方が、いずれか他方よりも長く形成されていることを特徴とする。
【００１８】
また、請求項６に記載の発明は、請求項１乃至請求項５のいずれか１項に記載の被介護者用寝間着であって、前記右袖開放部の寸法と前記左袖開放部の寸法のうち、いずれか一方が、前記被介護者の不自由な腕に対応する側の寸法であって、前記被介護者の不自由な腕を通すときに少なくとも前記被介護者に負担が掛からない最も短い長さであることを特徴とする。
【００１９】
また、請求項７に記載の発明は、請求項１、２、４、６のいずれか１項に記載の被介護者用寝間着であって、前記右袖開放部の寸法と前記左袖開放部の寸法のうち、いずれか一方が、前記被介護者の自由な腕に対応する側の寸法であって、前記被介護者の自由な腕を通すときに少なくとも前記被介護者の負担が掛からない最も短い長さであることを特徴とする。
【００２０】
また、請求項８に記載の発明は、請求項１乃至請求項７のいずれか１項に記載の被介護者用寝間着であって、前記右袖開放部及び前記左袖開放部を閉じるための留め具が設けられており、前記留め具は、綿素材の綾テープで形成されており、前記留め具の数は、前記被介護者の腕が、挿通された袖部から不用意に抜けないための最少の数に設けられていることを特徴とする。
【発明の効果】
【００２１】
本発明の被介護者用寝間着によれば、健常者用の寝間着に比べ加工の程度を極力軽減したので、被介護者の尊厳を損なわない程度に見栄え良く構成することができるという顕著な効果を奏することができる。
【００２２】
また、本発明の被介護者用寝間着によれば、開閉部の留め具に綿素材の綾テープを用いたので、被介護者の肌を傷つけることがないという顕著な効果を奏することができる。
【００２３】
また、本発明の被介護者用寝間着によれば、介護者が被介護者の着替えをさせるときに、被介護者の体（特に、手・腕等の上肢）を無理に動かすことなく、また、介護者の作業の労力を少なくすることができるので、被介護者及び介護者のいずれにとっても、着替え作業の負担を軽減することができるという顕著な効果を奏することができる。換言すれば、本発明の被介護者用寝間着によれば、介護者が負担無く被介護者に容易に着替えをさせることができるという顕著な効果を奏することができる。
【００２４】
また、本発明の被介護者用寝間着によれば、介護者が長期間の介護をすることになっても、被介護者への介護に対するモチベーションを維持することができるという顕著な効果を奏することができる。
【図面の簡単な説明】
【００２５】
【図１】本発明の第１実施形態の寝間着１の正面図である。
【図２】図１の一部破断図である。
【図３】本発明の第１実施形態の寝間着１の背面図である。
【図４】図１の要部を拡大した説明図である。
【図５】本発明の第１実施形態の寝間着１を被介護者に着用させるときの様子を説明する図である。
【図６】本発明の第１実施形態の寝間着１を被介護者に着用させるときの様子を説明する図である。
【図７】本発明の第１実施形態の寝間着１を被介護者に着用させた状態の様子を説明する図である。
【発明を実施するための形態】
【００２６】
以下、好適な実施形態を用いて本発明をさらに具体的に説明する。但し、下記の実施形態は本発明を具現化した例に過ぎず、本発明はこれに限定されるものではない。
【００２７】
（第１実施形態）
本発明の第１実施形態では、被介護者用寝間着としての長袖の寝間着１を例に説明する。図１に本発明の第１実施形態の寝間着１の正面図を示し、図２に図１の一部破断図を示し、図３に寝間着１の背面図を示し、図４に図１の要部を拡大した説明図を示し、図５及び図６に寝間着１を被介護者に着用させるときの様子を説明する図を示し、図７に寝間着１を被介護者に着用させた状態の様子を示す図を示す。なお、図２では、図の説明の便宜上、留め具、ポケットは不図示である。本実施形態では、被介護者が寝たきりの状態で自力での寝間着の着替えが困難であり、被介護者の右腕が不自由で、左腕が自由である状態を想定して説明する。説明の便宜上、ベッド、介護者は不図示である。
【００２８】
従来、寝たきり状態の被介護者は、腕を曲げる又は伸ばす等、自分の意思によって自由に腕を動かすことは困難であるので、寝間着等の着替え作業は介護者の手助けを必要とし、介護者及び被介護者の双方にとって労力を要し負担が大きいが、被介護者の少なくとも一方の腕が麻痺その他の障害により不自由な状態では、介護者及び被介護者の着替え作業の負担がさらに増加する。本実施形態では、被介護者がこのような状態にあっても、介護者及び被介護者双方の着替え作業の負担を軽減することを目的の一つとしている。
【００２９】
図１〜図４に示すように、寝間着１は、基本的な構成として、見頃部２と、袖部３と、襟部４を備えている。見頃部２は、前身頃２ａと後ろ身頃２ｂを有し、前開き（「前明き」ともいう。）の形態に構成されている。寝間着１は、男性用を想定しているので、右前に構成されており、前身頃２ａの右側（右前身頃）が左側（左前身頃）の内側になるように構成され、前身頃２ａの左側（左前身頃）の前部には複数のボタンホール５ａが設けられ、前身頃２ａの右側（右前身頃）の前部には複数のボタン５ｂが、ボタンホール５ａに対応する位置に取り付けられている。女性用の寝間着のときは、左前に構成される。また、身頃部２には襟部４が設けられ、前身頃２ａには、ポケット１１が設けられている。寝間着１を構成する身頃部２、袖部３、襟部４は、全て綿素材で形成されている。袖部３は、右袖下３ｃを有する右袖部３ａと、左袖下３ｄを有する左袖部３ｂから構成されている。本発明の寝間着１は、左袖刳り下端部３ｅ及び右袖刳り下端部３ｆ近傍の身頃部２及び袖部３の一部が縫合されず、開放されており、この開放された部分の所定位置に留め具（９ａ，９ｂ，９ｃ）が設けられているが（詳細は後述する。）、図示するように、外観視で留め具が視認される場合があるだけであり（留め具を隠すことも可能である。）、健常者用の寝間着と限りなく遜色ないよう見栄え良く構成されている。
【００３０】
本実施形態の身頃部２の右脇部２ｃの一部、身頃部２の左脇部２ｄの一部、右袖部３ａの右袖下３ｃの一部、左袖部３ｂの左袖下３ｄの一部は、縫合されずに開放されている。以下、具体的に説明する。右袖部３ａは、一枚裁ちの普通袖（「一枚袖」ともいう。）であるが、健常者用の一般的な寝間着の普通袖とは異なり、右袖下３ｃが全て縫合されるのではなく、右袖刳り下端部３ｅから右袖口３ｇ方向の右袖下３ｃの一部が縫合されずに開放された右袖開放部６ａを有している。右袖下３ｃの右袖開放部６ａの先端から右袖口３ｇまでの部分は、健常者用の一般的な前開き形態の寝間着と同様に縫合されている。
【００３１】
同様に、左袖部３ｂは、一枚裁ちの普通袖であるが、健常者用の一般的な寝間着の普通袖とは異なり、左袖下３ｄが全て縫合されるのではなく、左袖刳り下端部３ｆから左袖口３ｈ方向の左袖下３ｄの一部が縫合されずに開放された左袖開放部６ｂを有している。左袖下３ｄの左袖開放部６ｂの先端から左袖口３ｈまでの部分は、健常者用の一般的な寝間着と同様に縫合されている。
【００３２】
そして、健常者用の一般的な寝間着は、前身頃と後ろ身頃は、右袖刳り下端部から裾部までの右脇部は連続して縫合され、また、左袖刳り下端部から裾部までの左脇部は連続して縫合されているが、本発明の寝間着１の前身頃２ａと後ろ身頃２ｂは、右袖刳り下端部３ｅから裾部２ｅ方向の右脇部２ｃの一部が縫合されずに、開放された右脇開放部７ａを有している。また、寝間着１の前身頃２ａと後ろ身頃２ｂは、左袖刳り下端部３ｆから裾部２ｅ方向の左脇部２ｄの一部が縫合されずに、開放された左脇開放部７ｂを有している。右脇部２ｃの右脇開放部７ａの先端から裾部２ｅまでの部分は健常者用の一般的な寝間着と同様に縫合され、左脇部２ｄの左脇開放部７ｂの先端から裾部２ｅまでの部分は健常者用の一般的な寝間着と同様に縫合されている。
【００３３】
右袖開放部６ａと右脇開放部７ａとは、連結されて一体的な一つの空間部を形成する右開閉部８ａを構成しており、この右開閉部８ａを利用して、被介護者の不自由な方の右腕を右袖部３ａに容易に脱ぎ着させることができる。また、左袖開放部６ｂと左脇開放部７ｂとは、連結されて一体的な一つの空間部を形成する左開閉部８ｂを構成しており、この左開閉部８ｂを利用して、被介護者の自由な方の左腕を左袖部３ｂに脱ぎ着させることができる。
【００３４】
右袖開放部６ａ、右脇開放部７ａには、補強のために帯状の当て布（「力布」ともいう。）１０ａが縫合され、左袖開放部６ｂ、左脇開放部７ｂには、補強のために帯状の当て布１０ｂが縫合されている。後述する留め具９ａは、右袖部３ａと当て布１０ａの間に縫合され、留め具９ｂは、身頃部２と当て布１０ｂとの間に縫合され、留め具９ｃは、左袖部３ｂと当て布１０ｂとの間に縫合されている。当て布１０ａ，１０ｂは、被介護者の肌に直接接触するので、肌を傷つけないような軟らかい素材を用いて形成されており、例えば、留め具（９ａ，９ｂ，９ｃ）と同様の綿素材の綾テープを素材にして形成されている。
【００３５】
ここで、右袖開放部６ａの右袖下３ｃ方向の寸法をＬ６ａ、左袖開放部６ｂの左袖下３ｄ方向の寸法をＬ６ｂ、右脇開放部７ａの右脇部２ｃ方向の寸法をＬ７ａ、左脇開放部７ｂの左脇部２ｄ方向の寸法をＬ７ｂとすると、本実施形態では、右脇開放部７ａの寸法Ｌ７ａと左脇開放部７ｂの寸法Ｌ７ｂとを同じ長さにして、左袖開放部６ｂの寸法Ｌ６ｂを右袖開放部６ａの寸法Ｌ６ａよりも長く形成している。また、右開閉部８ａの寸法をＬ８ａ、左開閉部８ｂの寸法をＬ８ｂとすると、寸法Ｌ８ａは寸法Ｌ６ａと寸法Ｌ７ａとの合計の長さであり、寸法Ｌ８ｂは、寸法Ｌ６ｂと寸法Ｌ７ｂとの合計の長さであるので、寸法Ｌ８ｂは、寸法Ｌ８ａよりも長く形成されていることになる。
【００３６】
介護者が、寝たきりの被介護者に寝間着１を着せるときには、まず、不自由な方の腕を先に袖に通して、その後、自由な方の腕を袖に通す方がよい。この理由は、後から袖に通す腕の動きの方が、先に袖に通す腕の動きよりも大きくなり、後から袖に通す腕にかかる負担が大きくなるからである。もし、自由な方の腕を先に袖に通すと、後から袖に通す不自由な方の腕に負担が掛かる。片麻痺や長期間寝たきり状態のような被介護者は、不自由な方の腕の筋力が低下したり、骨粗鬆症により腕の骨が脆弱化することで、着替え動作時の負担で腕を脱臼あるいは骨折する虞がある。介護者にとっても、被介護者の不自由な方の腕にできるだけ負担が掛からないように慎重に着替え作業をしなければならないので、慎重且つ多大な労力を要する。
【００３７】
なお、特許文献３には、本実施形態の前開き形態の寝間着１とは異なるプルオーバー形態の「衣服」において、「不自由な腕」を通す方の「右袖部３ａ」の「袖巾Ａ」を、「健常の方の手を通す左袖部３ｂ」の「袖巾Ｂ」よりも「大きく形成」されている（特許文献３の段落「００１２」等参照。）が、上述したように、本実施形態では、逆の発想により、本願の課題を解決している。
【００３８】
ここで、左右開閉部８ａ，８ｂの寸法Ｌ８ａ，Ｌ８ｂを、例えば特許文献１の「第２開閉部１８」、「第３開閉部１９」のように長くし過ぎると、被介護者を着替えさせるときの介護者の作業が却って煩雑になり、介護者の負担が増加する。また、開閉部を大きくすることは、それだけ、見栄えを悪くすることになる。本発明では、被介護者の尊厳を損なわないように見栄えの良い被介護者用寝間着を提供することも課題の一つであるので、外観で一見して視認することができるような加工は、できるだけ少なくされている。したがって、右開閉部８ａの加工の程度、つまり、右袖開放部６ａの寸法Ｌ６ａの長さ、及び、右脇開放部７ａの寸法Ｌ７ａの長さは、着替え作業時に被介護者の不自由な右腕に負担がかかることなく、且つ、介護者にとっても負担が最小限で済むように設定され、左開閉部８ｂの加工の程度、つまり、左袖開放部６ｂの寸法Ｌ６ｂの長さ、及び、左脇開放部７ｂの寸法Ｌ７ｂの長さは、被介護者の自由な左腕に負担がかかることなく、且つ、介護者にとっても負担が最小限で済むように設定されている。
【００３９】
また、本実施形態では、右袖部３ａ、左袖部３ｂに被介護者の左右の腕Ｒａ，Ｌａを通した後は、見栄えと安全性を考慮して、右開閉部８ａ及び左開閉部８ｂ、つまり、右袖開放部６ａ、左袖開放部６ｂ、右脇開放部７ａ、左脇開放部７ｂを閉じるために、綿素材の綾テープで形成された一対の右留め具９ａ及び二対の左留め具９ｂ，９ｃが設けられている。右留め具９ａは、右袖開放部６ａ及び右脇開放部７ａの開放状態を閉じるためのものであり、右袖開放部６ａと右脇開放部７ａとの連結部である右袖刳り下端部３ｅ近傍の右袖部３ａに、一対の右留め具９ａ，９ａのそれぞれの一端が縫合されて固定されている。左留め具９ｂ及び９ｃは、左袖開放部６ｂ及び左脇開放部７ｂの開放状態を閉じるためのものであり、左留め具９ｂは、左袖開放部６ｂと左脇開放部７ｂとの連結部である左袖刳り下端部３ｆ近傍の前身頃２ａと後ろ身頃２ｂに、一対の左留め具９ｂ，９ｂのそれぞれの一端が縫合されて固定され、また、左袖開放部６ｂの略中央部に一対の左留め具９ｃ，９ｃのそれぞれの一端が縫合されて固定されている。右留め具９ａ，９ａ、左留め具９ｂ，９ｂ、左留め具９ｃ，９ｃの、それぞれ固定されていない他端同士を結ぶことで、右開閉部８ａ、左開閉部８ｂを閉じることができる。
【００４０】
留め具として、一般に、スライドファスナー、面ファスナー、ボタン、スナップ、ホック等が知られているが、スライドファスナー、面ファスナー、ボタンは、一般に素材が合成樹脂であり、スナップ、ホックは、一般に素材が金属である。被介護者、特に、長期間寝たきり状態の被介護者の肌は、健常者に比べ著しく劣化して傷つき易くなっているので、留め具も軟らかい素材を用いた方よい。したがって、本実施形態では、留め具の素材として、合成樹脂や金属で形成されたものを用いず、綿素材の綾テープを用いている。右留め具９ａ，左留め具９ｂ，９ｃは、綿素材を綾織りされたテープ（紐）であるので、合成樹脂や金属に比べて、格段に柔らかく、被介護者の肌を傷つける虞がない。
【００４１】
左側の留め具を、左留め具９ｂ，９ｂと、左留め具９ｃ，９ｃの二対にしたのは、左袖開放部６ｂの寸法Ｌ６ｂを、右袖開放部６ａの寸法Ｌ６ａよりも長くしたので、被介護者の自由な方の左腕が、左袖部３ｂに通された後、不用意に抜けないようにするためである。なお、左右の留め具をさらに多く設けると、見栄えが悪くなるので、被介護者の腕が不用意に抜けないための最少の数の二対にしているのである。なお、このような観点から、右留め具９ａ，９ａは、右腕を右袖部３ａに通した後、不用意に抜けないための最少の数の一対である。
【００４２】
このように、本発明の寝間着１は、外観視では、健常者用の通常の寝間着と可能な限り遜色なく構成されており、被介護者の尊厳を損なうことなく、非常に見栄え良く構成され、且つ、被介護者の肌を傷つけることがないように安全に構成され、且つ、介護者が被介護者の着替えをさせるときに、被介護者及び介護者のいずれも着替え作業の負担を軽減することができ、さらには、介護者が長期間の介護をすることになっても、被介護者への介護に対するモチベーションを維持することができるという顕著な効果を奏することができる。
【００４３】
図５、図６に、本実施形態の寝間着１を被介護者Ｐに着用させるときの様子を示す。なお、被介護者Ｐは、ベッドに寝たきりの状態であり、寝間着１の着替えは自力でできないので介護者の手助けを要することを想定しているが、ベッド及び介護者は図示していない。図５（ａ）及び図５（ｂ）に示すように、寝間着１を被介護者Ｐに着用させるときは、まず、被介護者Ｐの不自由な方の右腕Ｒａを、右開閉部８ａを利用して右袖部３ａに挿通する。このとき、右留め具９ａ及び左留め具９ｂ，９ｃは、開放しておく。右開閉部８ａは、寸法Ｌ８ａ（寸法Ｌ６ａと寸法Ｌ７ａの合計）に開口された空間部を有するので、被介護者Ｐの右腕Ｒａが不自由であっても、右開閉部８ａの空間部を利用して、被介護者Ｐに負担を掛けることなく、右腕Ｒａを右袖部３ａに挿通させることができる。そして、右開閉部８ａを構成する右袖開放部６ａ及び右脇開放部７ａは、被介護者Ｐの不自由な右腕Ｒａに負担が掛かることなくスムーズに右袖部３ａに右腕Ｒａを通すことができる最小限の寸法に形成されているので、被介護者Ｐ及び介護者の着替え作業の負担が軽減される。被介護者Ｐの右腕Ｒａを右袖部３ａに通し終えたら、右留め具９ａを結び、右開閉部８ａを閉じる。なお、右留め具９ａは、左腕Ｌａを左袖部３ｂに通した後、つまり、着替え作業の最後の段階で結んでもよい。
【００４４】
次に、図６（ａ）及び図６（ｂ）に示すように、自由な方の左腕Ｌａを左袖部３ｂに通すのであるが、先に右腕Ｒａを右袖部３ａに通しており、身頃部２の右側部分、及び、右袖部３ａは、被介護者Ｐの体に密接しているので、左袖部３ｂや身頃部２の左側部分は、被介護者Ｐの左腕Ｌａを通すためにはあまり自由に大きく動かすことができない。したがって、被介護者Ｐの左腕Ｌａを動かして左袖部３ｂに通すことになるが、左開閉部８ｂは、寸法Ｌ８ｂ（寸法Ｌ６ｂと寸法Ｌ７ｂの合計）に開口された空間部を有するので、左開閉部８ｂの空間部を利用して、被介護者Ｐに負担を掛けることなく、左腕Ｌａを左袖部３ｂに挿通させることができる。そして、左袖開放部６ｂが、左腕Ｌａを負担無く左袖部３ｂに通すことが可能な最小の大きさ（最短の寸法）に形成されているので、被介護者Ｐにも介護者にも負担なく作業を完了することができる。被介護者の左腕Ｌａを左袖部３ｂに通し終えたら、左留め具９ｂ，９ｂ、左留め具９ｃ，９ｃのそれぞれを結び、左開閉部８ｂを閉じる。
【００４５】
このようにして、被介護者Ｐに寝間着１を着用させたときの外観状態を図７に示す。図７に示すように、被介護者Ｐに着用された寝間着１は、外観視において、留め具９ａ，９ｂ，９ｃが視認されるだけであり、被介護者の尊厳を損なうことなく、非常に見栄えが良い。また、留め具９ａ，９ｂ，９ｃは、綿素材の綾テープで形成されているので、被介護者に接触しても、被介護者の肌を傷つける虞がない。なお、留め具９ａ，９ｂ，９ｃは、左右の袖部３ａ，３の内側、又は、身頃部２の内側に収納すれば、見栄えもさらに良くなる。
【００４６】
本実施形態では、被介護者Ｐの右腕Ｒａが不自由で左腕Ｌａが自由な場合を想定して説明したが、被介護者Ｐの右腕Ｒａが自由で、左腕Ｌａが不自由な状態では、上述した、右開閉部８ａの寸法Ｌ８ａ（右袖開放部６ａの寸法Ｌ６ａ）、左袖開閉部８ｂの寸法Ｌ８ｂ（左袖開放部６ｂの寸法Ｌ６ｂ）を、逆に構成して、被介護者Ｐの左腕Ｌａを先に左袖部３ｂに通し、その後、被介護者Ｐの右腕Ｒａを右袖部３ａに通すようにすればよい。
【００４７】
また、介護者が、被介護者Ｐから、着用している寝間着１を脱がすときには、上述した着用時の動作と逆の動作をすればよい。つまり、被介護者Ｐの動作が大きくされる自由な左腕Ｌａを先に左袖部３ｂから脱がして、その後、被介護者Ｐの不自由な右腕Ｒａを右袖部３ａから脱がすようにすれば、介護者・被介護者Ｐの双方にとって着替え作業の負担を軽減することができる。被介護者Ｐの右腕Ｒａが自由で、左腕Ｌａが不自由な状態での、寝間着１を脱がす場合は、先に右腕Ｒａを右袖部３ａから脱がした後で、左腕Ｌａを左袖部３ｂから脱がすようにすればよい。
【００４８】
なお、本実施形態では、被介護者が寝たきりの状態を想定して説明したが、本発明は、被介護者が寝たきりでなくても、例えば、何らかの障害で少なくとも左右いずれか一方の腕が不自由でいずれか他方の腕が自由であり、被介護者が自力で寝間着の着替えをすることができない状態で、着替え作業に介護者の手助けが必要な場合であっても、適用することができる。
【００４９】
（第２実施形態）
第１実施形態では、被介護者が寝たきりの状態で、自力での寝間着の着替えが困難であり、被介護者の左右の腕のいずれか一方が不自由であり、いずれか他方が自由である状態を想定して説明した。これは、寝たきりの被介護者に拘わらず、自力で衣服の着替えが困難な被介護者は、左右両方の腕が不自由であるケースよりも、左右いずれか一方の腕が不自由で、他方の腕は自由であるケースの方が多いと考えられるためである。しかしながら、本発明は、左右両方の腕が不自由な被介護者用の寝間着としても用いることが可能であるので、第２実施形態として、以下、説明する。
【００５０】
第２実施形態においても、第１実施形態と同様に、可能な限り加工を少なくして被介護者の尊厳を損なわない程度に見栄えを良くし、被介護者が寝間着の開閉具や留め具等で傷つくことなく安全であり、被介護者及び介護者にとって着替え作業の負担を軽減することができ、介護者の被介護者に対する介護のモチベーションを維持することができる被介護者用寝間着を提供することを目的としている。この目的を実現するための第２実施形態の寝間着の構成は、第１実施形態の寝間着１の構成とほぼ同じであるので、第１実施形態の寝間着１を参照して説明する。なお、ここでは、第２実施形態の寝間着の特徴的な部分を中心に説明する。
【００５１】
ここで、説明の便宜上、第１実施形態の寝間着１を、第２実施形態の寝間着１００（不図示）とすれば、寝間着１００の構成部品は、寝間着１の構成部品（図１〜図４）と同じである。寝間着１の構成部品については上述したので重複する説明は省略する。以下、寝間着１００を被介護者に着用させるときの様子について、図５〜図７を参考にして説明する。
【００５２】
被介護者Ｐは、右腕Ｒａ，左腕Ｌａ共に不自由な状態を想定する。第１実施形態の説明と同様に、まず、不自由な右腕Ｒａについては、右開閉部８ａを利用して、右袖部３ａに通すことができる（図５参照。）。右開閉部８ａを構成する右袖開放部６ａ及び右脇開放部７ａは、被介護者Ｐの不自由な右腕Ｒａに負担が掛かることなくスムーズに右袖部３ａに右腕Ｒａを通すことができる最小限の寸法に形成されているので、介護者・被介護者双方にとって着替え作業の負担が軽減される。
【００５３】
次に、図６（ａ）及び図６（ｂ）に示すように、不自由な方の左腕Ｌａを左袖部３ｂに通すのであるが、先に右腕Ｒａを右袖部３ａに通しており、右袖部３ａ、身頃部２の右側は、被介護者Ｐの体に密接しているので、左袖部３ｂや身頃部２の左側部分は、被介護者Ｐの不自由な左腕Ｌａを通すためにはあまり自由に大きく動かすことができない。しかも、左腕Ｌａは、第１実施形態と異なり不自由な状態であるから、第１実施形態と同程度に大きく動かすことはできない。このため、第２実施形態の寝間着１００では、左開閉部８ｂの寸法Ｌ８ｂを第１実施形態の左開閉部８ｂの寸法Ｌ８ｂよりも長く形成されている。左開閉部８ｂは、左袖開放部６ｂと左脇開放部７ｂとで構成されており、左開閉部８ｂの寸法Ｌ８ｂは、左袖開放部６ｂの寸法Ｌ６ｂと左脇開放部７ｂの寸法Ｌ７ｂとの合計であるので、例えば、左袖開放部６ｂの寸法Ｌ６ｂを第１実施形態よりも長くすることで、不自由な左腕Ｌａを、無理に大きく動かすことなく左袖部３ｂに通すことができる。つまり、被介護者Ｐにも介護者にも負担なく作業を完了することができる。このとき、左袖開放部６ｂは、左腕Ｌａを負担無く左袖部３ｂに通すことができる最小の大きさに形成されている、つまり、左袖開放部６ｂの寸法Ｌ６ｂが左腕Ｌａを負担無く左袖部３ｂに通すことができる最短の寸法に形成されているので、加工の程度は最小限で済み、寝間着１００の外観視は、第１実施形態と同様の効果を奏することができる（図７参照。）。
【００５４】
なお、寝間着１００において、右開閉部８ａの寸法Ｌ８ａと、左開閉部８ｂの寸法Ｌ８ｂとを上記と逆に構成した場合は、被介護者Ｐの左腕Ｌａを先に左袖部３ｂに通し、その後で、右腕Ｒａを右袖部３ａに通すようにすればよい。また、寝間着１を被介護者から脱がすときは、実施形態１で説明した方法と同様に行えばよい。つまり、第２実施形態では、被介護者Ｐが、左右両方の腕Ｒａ及びＬａが不自由な状態であるときは、寝間着１００は、左開閉部８ｂの寸法Ｌ８ｂが右開閉部８ａの寸法Ｌ８ａの寸法より長く形成されていても、右開閉部８ａの寸法Ｌ８ａが左開閉部８ｂの寸法Ｌ８ｂの寸法より長く形成されていても、先に通す腕の順番を変えるだけでよいといえる。
【００５５】
このように、第２実施形態においても、第１実施形態と同じ技術思想で構成された寝間着１を用いて、被介護者Ｐが左右両方の腕Ｒａ，Ｌａが不自由な状態でも、第１実施形態と同様の作用・効果を奏することができる。
【００５６】
ここで、第１実施形態の左右開閉部８ａ，８ｂの寸法Ｌ８ａ，Ｌ８ｂの具体的な一例を示すと、一般的なＬサイズの寝間着１において、右脇開放部７ａの寸法Ｌ７ａ及び左脇開放７ｂの寸法Ｌ７ｂをそれぞれ１６ｃｍで同じにし、右袖開放部６ａの寸法Ｌ６ａを１８．５ｃｍにし、左袖開放部６ｂの寸法Ｌ６ｂを２５ｃｍにし、この構成を備えた寝間着１を、右腕が不自由で、左腕が自由で、自力で着替えが困難な寝たきり状態の被介護者に適用して、本願発明の目的を達成し、効果を奏することを確認した。
【符号の説明】
【００５７】
１，１００  被介護者用寝間着
２      身頃部
２ａ    前身頃
２ｂ    後ろ身頃
２ｃ    右脇部
２ｄ    左脇部
２ｅ    裾部
３      袖部
３ａ    右袖部
３ｂ    左袖部
３ｃ    右袖下
３ｄ    左袖下
３ｅ    右袖刳り下端部
３ｆ    左袖刳り下端部
３ｇ    右袖口
３ｈ    左袖口
４      襟部
５ａ    ボタンホール
５ｂ    ボタン
６ａ    右袖開放部
６ｂ    左袖開放部
７ａ    右脇開放部
７ｂ    左脇開放部
８ａ    右開閉部
８ｂ    左開閉部
９ａ    右留め具
９ｂ，９ｃ  左留め具
１０ａ，１０ｂ  当て布（力布）
Ｌａ    左腕
Ｐ      被介護者
Ｒａ    右腕
【図１】
2019131926.tif 000003
【図２】
2019131926.tif 000004
【図３】
2019131926.tif 000005
【図４】
2019131926.tif 000006
【図５】
2019131926.tif 000007
【図６】
2019131926.tif 000008
【図７】
2019131926.tif 000009
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
前身頃及び後ろ身頃を有し前開きに構成された身頃部と、右袖部及び左袖部から構成された袖部とを備えた被介護者用寝間着であって、
前記右袖部には、右袖下の一部を開放して形成された右袖開放部が設けられ、
前記身頃部の右脇部には、前記右袖開放部と連結され、一部を開放して形成された右脇開放部が設けられ、
前記左袖部には、左袖下の一部を開放して形成された左袖開放部が設けられ、
前記身頃部の左脇部には、前記左袖開放部と連結され、一部を開放して形成された左脇開放部が設けられ、
前記被介護者の左右の腕のいずれか一方が不自由であり、いずれか他方が自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されており、
前記右袖部と前記左袖部は、いずれか一方が、前記被介護者の不自由な方の腕に対応して形成され、いずれか他方が、前記被介護者の自由な方の腕に対応して形成されており、
前記右袖開放部の寸法と、前記左袖開放部の寸法のうち、前記被介護者の自由な方の腕に対応する側の寸法が、前記被介護者の不自由な方の腕に対応する側の寸法よりも長く形成されている
ことを特徴とする被介護者用寝間着。
【請求項２】
前身頃及び後ろ身頃を有し前開きに構成された身頃部と、右袖部及び左袖部から構成された袖部とを備えた被介護者用寝間着であって、
前記右袖部には、右袖下の一部を開放して形成された右袖開放部が設けられ、
前記身頃部の右脇部には、前記右袖開放部と連結され、一部を開放して形成された右脇開放部が設けられ、
前記左袖部には、左袖下の一部を開放して形成された左袖開放部が設けられ、
前記身頃部の左脇部には、前記左袖開放部と連結され、一部を開放して形成された左脇開放部が設けられ、
前記被介護者の左右の腕のいずれも不自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されている
ことを特徴とする被介護者用寝間着。
【請求項３】
前記右袖部と前記左袖部は、いずれか一方が、前記被介護者の一方の不自由な方の腕に対応して形成され、いずれか他方が、前記被介護者の他方の不自由な方の腕に対応して形成されており、
前記右袖開放部の寸法と、前記左袖開放部の寸法のうち、いずれか一方が、いずれか他方よりも長く形成されている
ことを特徴とする請求項２に記載の被介護者用寝間着。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
上記の目的を達成するために、請求項１に記載の発明は、前身頃及び後ろ身頃を有し前開きに構成された身頃部と、右袖部及び左袖部から構成された袖部とを備えた被介護者用寝間着であって、前記右袖部には、右袖下の一部を開放して形成された右袖開放部が設けられ、前記身頃部の右脇部には、前記右袖開放部と連結され、一部を開放して形成された右脇開放部が設けられ、前記左袖部には、左袖下の一部を開放して形成された左袖開放部が設けられ、前記身頃部の左脇部には、前記左袖開放部と連結され、一部を開放して形成された左脇開放部が設けられ、前記被介護者の左右の腕のいずれか一方が不自由であり、いずれか他方が自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されており、前記右袖部と前記左袖部は、いずれか一方が、前記被介護者の不自由な方の腕に対応して形成され、いずれか他方が、前記被介護者の自由な方の腕に対応して形成されており、前記右袖開放部の寸法と、前記左袖開放部の寸法のうち、前記被介護者の自由な方の腕に対応する側の寸法が、前記被介護者の不自由な方の腕に対応する側の寸法よりも長く形成されていることを特徴とする。
【手続補正４】
【補正対象書類名】明細書
【補正対象項目名】００１５
【補正方法】変更
【補正の内容】
【００１５】
また、請求項２に記載の発明は、前身頃及び後ろ身頃を有し前開きに構成された身頃部と、右袖部及び左袖部から構成された袖部とを備えた被介護者用寝間着であって、前記右袖部には、右袖下の一部を開放して形成された右袖開放部が設けられ、前記身頃部の右脇部には、前記右袖開放部と連結され、一部を開放して形成された右脇開放部が設けられ、前記左袖部には、左袖下の一部を開放して形成された左袖開放部が設けられ、前記身頃部の左脇部には、前記左袖開放部と連結され、一部を開放して形成された左脇開放部が設けられ、前記被介護者の左右の腕のいずれも不自由であることに応じて、前記右袖開放部の寸法と、前記右脇開放部の寸法と、前記左袖開放部の寸法と、前記左脇開放部の寸法のうち、少なくとも、前記右袖開放部の寸法と、前記左袖開放部の寸法とが、異ならせて形成されていることを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
また、請求項３に記載の発明は、請求項２に記載の被介護者用寝間着であって、前記右袖部と前記左袖部は、いずれか一方が、前記被介護者の不自由な方の腕に対応して形成され、いずれか他方が、前記被介護者の自由な方の腕に対応して形成されており、前記右袖開放部の寸法と、前記左袖開放部の寸法のうち、前記被介護者の自由な方の腕に対応する側の寸法が、前記被介護者の不自由な方の腕に対応する側の寸法よりも長く形成されていることを特徴とする。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】